(57)【要約】【課題】  従来の携帯用の名刺ケースでは、相手名刺を名刺ケース内に収納してしまうと、相手との商談時において相手名刺を見られない（相手の名前等を再確認できない）。【解決手段】  自己名刺収納部１１を設けた本体部１と相手名刺収納部２１を設けた蓋部２とを可撓性のある連結部３を介して連続させ、相手名刺収納部２１の表面に透明カバー部２２ｂを設け、本体部１と蓋部２を両名刺収納部１１，２１が内側に位置する閉状態で接合させる閉接合状態と、本体部１と蓋部２を両名刺収納部１１，２１が外側に位置する開状態で接合させる開接合状態との範囲で折返し得るようにしている一方、本体部１と蓋部２とを、閉接合状態と開接合状態でそれぞれ磁石４Ａ，４Ｂ，５の吸着力により接合状態を維持させ得るようにしており、商談時に相手名刺を相手名刺収納部２１内に収納した状態で外部から見えるように置くことができるようにした。【選択図】  図１
2009268570.tif 000002
【特許請求の範囲】
【請求項１】
内面側に自己名刺収納部（１１）を設けた本体部（１）と内面側に相手名刺収納部（２１）を設けた蓋部（２）とを可撓性のある連結部（３）を介して連続させ、
前記相手名刺収納部（２１）の表面に、該相手名刺収納部（２１）内に収納した相手名刺（２０）を透視できる透明カバー部（２２ｂ）を設け、
前記連結部（３）は、前記本体部（１）と前記蓋部（２）を前記両名刺収納部（１１，２１）がそれぞれ内側に位置する閉状態で接合させる閉接合状態と、前記本体部（１）と前記蓋部（２）を前記両名刺収納部（１１，２１）がそれぞれ外側に位置する開状態で接合させる開接合状態との角度３６０°の範囲で折返し得るようにしている一方、
前記本体部（１）と前記蓋部（２）とを、前記閉接合状態と前記開接合状態でそれぞれ磁石（４Ａ，４Ｂ，５）の吸着力により接合状態を維持させ得るようにしている、
ことを特徴とする携帯用の名刺ケース。
【発明の詳細な説明】
【技術分野】
【０００１】
本願発明は、名刺を収納するための携帯用の名刺ケースに関するものである。
【背景技術】
【０００２】
名刺交換は、一般に携帯用の名刺ケースから自分の名刺を取り出して相手に差し出すとともに相手の名刺を貰うが、名刺交換後に相手と商談等の話をする際には、相手名刺を名刺ケース上面やテーブル上面等に置いて、いつでも相手名等を再確認できるようにしている場合が多い。又、商談後は相手名刺を自分の名刺ケースに入れて持ち帰る。
【発明の開示】
【発明が解決しようとする課題】
【０００３】
ところで、商談中に貰った相手名刺を名刺ケース上面やテーブル上面等に置いていると、その相手名刺に書類等が当たって向きが変わったり移動したりすることが多々あり、さらにときにはテーブルから床面上に落ちることがある。このような場合は、相手の気分を害したり、あるいは相手に対して失礼になるおそれがある。
【０００４】
又、商談後は相手名刺を自分の名刺ケースに入れて持ち帰るが、従来の名刺ケースでは、自分の名刺と相手方の名刺とが混ざってしまう。そして、このように名刺ケース内に自他の名刺が混ざっていると、次に名刺交換するときに自分の名刺を捜し出すのに手間がかかる（ときには先に貰った他人名刺を取り出し、再度自分の名刺を捜すことがある）という問題があった。
【０００５】
そこで、本願発明は、相手名刺を貰ったときに、相手に対して失礼にならないような保管の仕方ができるとともに、自他の名刺を区別して収納し得るようにした名刺ケースを提供することを目的としている。
【課題を解決するための手段】
【０００６】
本願発明は、上記課題を解決するための手段として次の構成を有している。尚、本願発明は、携帯用の名刺ケースを対象にしている。
【０００７】
本願発明の名刺ケースは、内面側に自己名刺収納部を設けた本体部と内面側に相手名刺収納部を設けた蓋部とを可撓性のある連結部を介して連続させている。
【０００８】
本体部及び蓋部は、それぞれ保形性のある材質で名刺サイズよりやや大きい矩形形状に成形されている。そして、自己名刺収納部は本体部の内面側に複数枚（例えば１０〜２０枚程度）の自己名刺を収納し得る空所を設けた状態でカバーを取付けて形成し、相手名刺収納部は蓋部の内面側に少枚数（例えば５〜６枚程度まで）の相手名刺を収納し得る空所を設けた状態でカバーを取付けて形成している。
【０００９】
相手名刺収納部の表面には、該相手名刺収納部内に収納した相手名刺を透視できる透明カバー部を設けている。
【００１０】
又、連結部は、本体部と蓋部を両名刺収納部（自己名刺収納部と相手名刺収納部）がそれぞれ内側に位置する閉状態で接合させる閉接合状態と、本体部と蓋部を両名刺収納部（自己名刺収納部と相手名刺収納部）がそれぞれ外側に位置する開状態で接合させる開接合状態との角度３６０°の範囲で折返し得るようにしている。
【００１１】
そして、本体部と蓋部とは、前記閉接合状態と前記開接合状態でそれぞれ磁石の吸着力により接合状態を維持させ得るようにしている。
【００１２】
この磁石は本体部側又は蓋部側の一方のみに設け、該本体部側と蓋部側の他方には鉄板等の磁性体を設けたものでもよく、あるいは本体部側と蓋部側にそれぞれ磁石を設けたものでもよい。さらに、本体部側が厚手になる場合は、該本体部の表裏各面にそれぞれ磁石又は鉄板（磁性体）を設けることができる（蓋部には鉄板又は磁石が設けられる）。尚、この磁石（又は鉄板）は、それぞれ極薄（例えば厚さが１mm以下）のものが好ましい。
【００１３】
本願発明の名刺ケースは、自己名刺収納部に複数枚の自己名刺を収納して携帯するが、携帯時には蓋部を本体部に対して各名刺収納部がそれぞれ内側になる閉接合状態にしておく。この閉接合状態では、本体部側と蓋部側とが磁石で吸引されていて、該閉接合状態を維持している（不用意に蓋部が開かない）。
【００１４】
そして、名刺交換時には、名刺ケースの蓋部を開いて（磁石の吸着を剥がして）自己名刺収納部の開口から１枚の自己名刺を取り出して相手に差し出す一方、相手の名刺を貰うが、貰った相手名刺はその表面側が外面になる状態で相手名刺収納部内に収納し、続いて蓋部（又は本体部）を本体部（又は蓋部）に対して各名刺収納部がそれぞれ外面に位置する開状態で接合させる。すると、磁石の吸引力により本体部と蓋部とが開接合状態で維持され、不用意に蓋部が開かないようになる。
【００１５】
そして、商談時には、開接合状態の名刺ケースを相手名刺収納部が上面になる状態でテーブル上に置くが、そのとき相手名刺収納部内に収納した相手名刺を透明カバー部を通して視認することができる。
【００１６】
このように、相手名刺を見える状態で名刺収納部に収納していると、該相手名刺が単独で向きが変わったり移動したりすることがなく、しかも該相手名刺を大切に扱っているという好印象を相手に与えることができる。
【００１７】
尚、商談後は、開接合状態にある名刺ケースを、各名刺収納部が内側に位置する閉接合状態にすることで、各名刺収納部の開口部分が連結部で閉じられるので、自己名刺及び貰った相手名刺が各名刺収納部から不用意に抜け出すことがない。
【発明の効果】
【００１８】
本願発明の名刺ケースには、次のような効果がある。
【００１９】
(1) 本体部に自己名刺収納部と蓋部に相手名刺収納部とをそれぞれ有しているので、相手名刺を貰ったときに、該相手名刺を自己名刺収納部とは別の相手名刺収納部に収納することができるので、自他の名刺が混じることがなく、自他名刺の管理が容易となる。
【００２０】
(2) 本体部と蓋部とが、閉接合状態（各名刺収納部がそれぞれ内側に向いている）と開接合状態（各名刺収納部がそれぞれ外側に向いている）とでそれぞれ磁石により吸着されるので、該閉接合状態及び開接合状態でそれぞれ維持させることができ（蓋部が不用意に開かない）、それぞれの状態で名刺ケースを安定させることができる。
【００２１】
(3) 貰った相手名刺を相手名刺収納部内に収納して、商談時には開接合状態の名刺ケースを相手名刺収納部が上面になる状態でテーブル上に置くと、該相手名刺を大切に扱っているという好印象を相手に与えることができる。尚、このとき、相手名刺が相手名刺収納部の透明カバー部を通して視認できるので、相手名等を再確認するのに困ることがない。
【実施例】
【００２２】
図１〜図５を参照して本願実施例を説明すると、この実施例の名刺ケースは、携帯用に使用されるものであって、内面側に自己名刺収納部１１を設けた本体部１と内面側に相手名刺収納部２１を設けた蓋部２とを可撓性のある連結部３を介して連続させたものである。尚、図１は本体部１と蓋部２とを平面状に展張させて両名刺収納部１１，２１を上面に向けた状態の斜視図であり、図２は図１のII−II断面図であり、図３は図２のIII部拡大図であり、図４は後述する閉接合状態での斜視図であり、図５は後述する開接合状態での斜視図である。
【００２３】
本体部１及び蓋部２は、それぞれ保形性のある材質で名刺サイズよりやや大きい矩形形状に成形されている。この本体部１及び蓋部２の各材料としては、皮革や合成皮革、厚手の布地、合成樹脂シート、表面を樹脂コーティングした厚紙、等の適宜のものが採用できる。そして、この実施例では、本体部１と連結部３と蓋部２とを同材料で連続させたものを使用している。又、この本体部１と連結部３と蓋部２とは、図３に示すように外面材ａと内面材ｂとを接合させたものを使用している。尚、内面材ｂには、布材を使用することができる。
【００２４】
自己名刺収納部１１は、本体部１の内面側に複数枚（例えば１０〜２０枚程度）の自己名刺１０を収納し得る空所を設けた状態でカバー１２を取付けて形成している。この自己名刺収納部１１のカバー１２は、左右の両側部と反連結部側の３辺が本体部１の内面に固定されていて、開口１３が連結部３側に形成されている。尚、このカバー１２の材料は、保形性を維持できるものであれば適宜のものが使用できる。又、このカバー１２の固定部分（３辺）は、本体部１に対して糸による縫合又は接着剤による接着等の方法で固定することができる。
【００２５】
自己名刺収納部１１のカバー１２には、その幅中央部に開口縁から所定深さの切欠１４が形成されている。この切欠１４は、自己名刺収納部１１内に収納している自己名刺１０を取出し易くするためのもので、該切欠１４に指を入れて自己名刺（群）１０の最上面の１枚を指との摩擦により引出し得るようになっている。
【００２６】
相手名刺収納部２１は、蓋部２の内面側に少枚数（例えば５〜６枚程度まで）の相手名刺２０を収納し得る空所を設けた状態でカバー２２を取付けて形成している。この相手名刺収納部２１のカバー２２は、周枠部２２ａ内に透明カバー部２２ｂを設けものが使用されている。そして、このカバー２２は、周枠部２２ａの左右の両側部と反連結部側の３辺が蓋部２の内面に固定されていて、開口２３が連結部３側に形成されている。尚、このカバー２２の固定部分（３辺）も、蓋部２に対して糸による縫合又は接着剤による接着等の方法で固定することができる。
【００２７】
そして、この相手名刺収納部２１では、カバー２２の透明カバー部２２ｂから相手名刺収納部２１内に収納した相手名刺２０を透視できるようになっている。又、透明カバー部２２ｂには、その幅中央部に所定長さの切欠２４が形成されている。この切欠２４は、相手名刺収納部２１内に収納している相手名刺２０を取出し易くするためのもので、該切欠２４に指を入れて相手名刺２０を指との摩擦により引出し得るようになっている。
【００２８】
連結部３は、例えば１０mm弱程度の幅を有していて、該幅の両端部付近にそれぞれ折り目線３１，３１（図１及び図２）を設けている。そして、この連結部３において、本体部１と蓋部２を両名刺収納部（自己名刺収納部１１と相手名刺収納部２１）がそれぞれ内側に位置する閉状態で接合させる閉接合状態（図４の状態）と、本体部１と蓋部２を両名刺収納部（自己名刺収納部１１と相手名刺収納部２１）がそれぞれ外側に位置する開状態で接合させる開接合状態（図５の状態）との角度３６０°の範囲で折返し得るようにしている。即ち、この名刺ケースでは、本体部１と蓋部２とが図１及び図２に示す展張状態から、符号Ａで示すように蓋部２を本体部１の上面側に１８０°回動させたり、符号Ｂで示すように本体部１を蓋部２の下面側に１８０°回動させたりし得るようになっている。尚、本体部１と蓋部２とは、相手側に対していずれを回動させてもよい。
【００２９】
又、この名刺ケースでは、本体部１と蓋部２とは、前記閉接合状態（図４及び図２の符号２′の状態）と前記開接合状態（図５及び本体部が図２の符号１′の状態）でそれぞれ磁石（４Ａ，４Ｂ，５）の吸着力により接合状態を維持させ得るようにしている。
【００３０】
即ち、この実施例では、本体部１側には、自己名刺収納部１１がかなりの厚さ（例えば５〜６mm程度の厚さ）を有している関係で外端部寄り中央位置に２つの磁石（内側磁石４Ａ，外側磁石４Ｂ）を取付けている一方、蓋部２側の外端部寄り中央位置に１つの磁石５を取付けている。この各側の磁石４Ａ，４Ｂ，５には、この実施例では、それぞれ極薄（例えば厚さが１mm以下）で直径が１０mm程度のものが使用されている。尚、本体部１側の各磁石４Ａ，４Ｂは、自己名刺収納部１１内におけるカバー１２の内面と本体部１の内面にそれぞれ被覆材で被覆して取付けており、蓋部２側の磁石５は、該蓋部２の内面に被覆材で被覆して取付けている。従って、各磁石４Ａ，４Ｂ，５は外部から見えないようになっている（見映えが悪くならない）。尚、以下の説明では、本体部１側の各磁石４Ａ，４Ｂにおいて、カバー内面の磁石を内側磁石４Ａといい、本体部内面の磁石を外側磁石４Ｂということがある。
【００３１】
この名刺ケースにおいて、本体部１と蓋部２の各名刺収納部１１，２１がそれぞれ内側に位置する閉接合状態（図４及び蓋部が図２の符号２′の状態）では、本体部１側の内面側磁石４Ａと蓋部２側の磁石５（図２では５′）とが相互に吸引して、本体部１と蓋部２とを閉接合状態に維持させる一方、本体部１と蓋部２の各名刺収納部１１，２１がそれぞれ外側に位置する開接合状態（図５及び本体部が図２の符号１′の状態）では、本体部１側の外面側磁石４Ｂ（図２では４Ｂ′）と蓋部２側の磁石５とが相互に吸引して、本体部１と蓋部２とを開接合状態に維持させるようになっている。尚、閉接合状態及び開接合状態において、それぞれ磁石（４Ａと５、４Ｂと５）が吸引している状態では、本体部１と蓋部２とが不用意に開かないようになっている。
【００３２】
この実施例の名刺ケースは、次のように使用される。
【００３３】
この名刺ケースは、自己名刺収納部１１内に適数枚の自己名刺１０を収納して携帯するが、その携帯時には、図４に示すように各名刺収納部１１，２１がそれぞれ内側に位置する閉接合状態にしておく。この閉接合状態では、自己名刺収納部１１の開口１３が連結部３で閉塞されるので、自己名刺収納部１１内の自己名刺１０が抜け出すことがなく、しかも各側の磁石４Ａ，５が相互に吸引しているので、本体部１と蓋部２とが不用意に開かない。
【００３４】
そして、相手との名刺交換時には、蓋部２を開いて（両磁石４Ａ，５の吸着を剥がして）自己名刺収納部１１の開口１３から１枚の自己名刺１０を取り出して相手に差し出す一方、相手の名刺を貰うが、貰った相手名刺２０はその表面側が外面になる状態で相手名刺収納部２１内に収納し、続いて商談等に入る場合には、本体部１（又は蓋部２）を蓋部２（又は本体部１）に対して図２に矢印Ｂ（又は矢印Ｂと反対側）で示すように回動させて本体部１と蓋部２とを接合させる。この状態では、名刺ケースが図５に示すように各側の磁石５，４Ｂが相互に吸引していて、本体部１と蓋部２とが開接合状態で維持される。
【００３５】
そして、商談時には、開接合状態（図５）の名刺ケースを相手名刺収納部２１が上面になる状態でテーブル上に置くが、そのとき相手名刺収納部２１内に収納した相手名刺２０を透明カバー部２２ｂを通して視認することができる。
【００３６】
このように、相手名刺１０を見える状態で名刺収納部２１に収納していると、該相手名刺２０が単独で向きが変わったり移動したりすることがなく、しかも該相手名刺２０を大切に扱っているという好印象を相手に与えることができる。又、相手名刺２０は、相手名刺収納部２１の透明カバー部２２ｂから透視できるので、相手の名前等を容易に再確認できる。
【００３７】
商談後は、図５に示す開接合状態から、蓋部２を本体部１に対して連結部３を中心に３６０°回動させることで、図４に示す閉接合状態にすることができる。この閉接合状態では、各名刺収納部１１，２１の開口１３，２３部分が連結部３で閉じられるので、自己名刺１０及び貰った相手名刺２０が各名刺収納部１１，２１から不用意に抜け出すことがない。尚、該閉接合状態（図４）では、蓋部２が本体部１に対して各磁石４Ａ，５で吸引・接着されているので、蓋部２と本体部１とが不用意に開かない。
【００３８】
又、貰った相手名刺２０は、相手名刺収納部２１に収納できるので、自他の名刺が混じることがなく、自他名刺の管理が容易となるという利点もある。
【００３９】
尚、図示の実施例では、磁石として極薄の（磁力が比較的弱い）ものを使用している関係で、本体部１側に２つの磁石４Ａ，４Ｂと、蓋部２側に１つの磁石５を使用しているが、他の実施例では、強力な磁力を有するものであれば該磁石を本体部側又は蓋部側の一方のみに設け、本体部側と蓋部側の他方には該磁石に吸着される鉄板等の磁性体を設けたものでもよい。
【図面の簡単な説明】
【００４０】
【図１】本願実施例の名刺ケースの展張状態での斜視図である。
【図２】図１のII−II断面相当図である。
【図３】図２のIII部拡大図である。
【図４】図１の名刺ケースにおける閉接合状態の斜視図である。
【図５】図１の名刺ケースにおける開接合状態の斜視図である。
【符号の説明】
【００４１】
１は本体部、２は蓋部、３は連結部、４Ａ，４Ｂ，５はそれぞれ磁石、１０は自己名刺、１１は自己名刺収納部、１２はカバー、１３は開口、２０は相手名刺、２１は相手名刺収納部、２２はカバー、２２ｂは透明カバー部、２３は開口である。
【図１】
2009268570.tif 000003
【図２】
2009268570.tif 000004
【図３】
2009268570.tif 000005
【図４】
2009268570.tif 000006
【図５】
2009268570.tif 000007